(57)【要約】【課題】住宅等の床スペースが狭くなることなく、しかも耐盗性に優れた保管庫を提供する。【解決手段】保管庫１１は一面が開口され中空の本体部１２と、開口面に配置され開閉可能な扉体１３とを有している。本体部は開口面側を上方に向けて床下に位置づけられ、扉体が所定の開位置となると、ストッパー部材１９によって開位置で扉体が保持される。扉体の表面には扉体をロックするロック部１６と、扉体を開閉する際に操作されるレバー部１５が形成され、扉体の上側には床を構成する床部が配置され、床部の扉体に対応する部分が開閉可能である。【選択図】　　　図２
0003097650.tif 000002
【実用新案登録請求の範囲】
【請求項１】
一面が開口され中空の本体部と、該開口面に配置され開閉可能な扉体とを有する保管庫であって、
前記本体部が、前記開口面側を上方に向けて床下に位置づけられており、
前記扉体が所定の開位置となると、該開位置で前記扉体を保持するストッパー部材を有することを特徴とする保管庫。
【請求項２】
前記扉体の表面には、前記扉体をロックするロック部と、前記扉体を開閉する際に操作されるレバー部とが形成されていることを特徴とする請求項１に記載の保管庫。
【請求項３】
前記扉体の上側には床を構成する床部が配置され、該床部の前記扉体に対応する部分が開閉可能であることを特徴とする請求項１又は２に記載の保管庫。
【請求項４】
前記本体部には前記開口面側に該本体部を床に取り付けるためのフランジ部が形成されていることを特徴とする請求項１〜３のいずれかに記載の保管庫。
【請求項５】
少なくとも前記本体部及び前記扉体は、耐火性材料で形成されていることを特徴とする請求項１〜４のいずれかに記載の保管庫。
【考案の詳細な説明】
【０００１】
【考案の属する技術分野】
本考案は、物品を保管するための保管庫に関し、特に、耐火性及び耐盗性に優れた保管庫に関するものである。
【０００２】
【従来の技術】
一般に、金庫等の保管庫においては、物品（書類を含む）を火災等から保護するため、耐火性を備えており、例えば、不燃性表面材間の密封空間にモルタルを充填硬化して、耐火性を向上させているが、不燃性表面材間にモルタルを充填硬化している関係上、不可避的にその重量が重くなってしまう。
【０００３】
このような不具合を防止するため、耐火性を確保するとともに、その重量を軽量化した耐火保管庫が知られている。例えば、耐火保管庫のケース本体と閉塞蓋２とを、それぞれスチール板による内外表面材３間に、充填材１１としてセラミック微細中空粒子を充填したものとして、軽量化するとともに、セラミック微細中空粒子自体の低い熱伝導性とその間に形成される微小空気溜りの双方を断熱手段として用いたものがある（特許文献１：段落［０００５］〜段落［００１１］、第１〜第４図参照）。
【０００４】
【特許文献１】
特開平１０−６１３２３号公報
【０００５】
【考案が解決しようとする課題】
ところで、従来の耐火保管庫においては、その重量を軽量化して、移動し易くしているものの、耐火保管庫には貴重な物品等が収納されていることを考慮すると、耐火保管庫を軽量化することは、泥棒等に容易に持ち運ばれてしまうという危険性を孕んでいる。
【０００６】
一方、上述のように、モルタルを充填した耐火保管庫においても、重量は重いものの、移動できないことはなく、泥棒等に持ち運ばれてしまう危険性がある。
【０００７】
加えて、従来の耐火保管庫は、床面上に配置される関係上、目に付き易く、この点においても泥棒等に容易に発見されて、持ち去られるという危険性が高く、しかも、前述のように、床面上に配置されるから、その分床スペースが狭くなってしまう。
【０００８】
本考案の目的は、住宅等の床スペースが狭くなることなく、しかも耐盗性に優れた保管庫を提供することにある。
【０００９】
【課題を解決するための手段】
本考案によれば、一面が開口され中空の本体部と、該開口面に配置され開閉可能な扉体とを有する保管庫であって、前記本体部が前記開口面側を上方に向けて床下に位置づけられており、前記扉体が所定の開位置となると、該開位置で前記扉体を保持するストッパー部材を有することを特徴とする保管庫が得られる。
【００１０】
このようにして、一面が開口され中空の本体部を、開口面側を上方に向けて床下に位置づけて、扉体が所定の開位置となると、開位置で扉体を保持するストッパー部材を有するようにすれば、保管庫が部外者に見えることがなく、耐盗性を容易に向上させることができ、しかも、床面スペースが保管庫によって減少してしまうことがない。さらに、扉体が開位置となると、ストッパー部材によって扉体が保持され、容易に物品の出し入れができることになる。
【００１１】
また、本考案では、前記扉体の表面には前記扉体をロックするロック部と、前記扉体を開閉する際に操作されるレバー部が形成されており、前記扉体の上側には床を構成する床部が配置され、該床部の前記扉体に対応する部分が開閉可能である。
【００１２】
このように、扉体の上側には床を構成する床部が配置され、床部の扉体に対応する部分が開閉可能であるようにすれば、保管庫自体を外部から見えなくすることができ、耐盗性をより向上させることができることになる。
【００１３】
さらに、本考案では、前記本体部には前記開口面側に該本体部を床に取り付けるためのフランジ部が形成されており、少なくとも前記本体部及び前記扉体を、耐火性材料で形成することが望ましい。
【００１４】
このようにして、本体部の開口面側に、本体部を床に取り付けるためのフランジ部を形成するようにすれば、保管庫の床下への取り付けを容易に行うことができることになる。
【００１５】
【考案の実施の形態】
以下、本考案について図面を参照して説明する。図１を参照すると、図示の保管庫１１は、箱形状の本体部１２を備えており、この本体部１２の一面（図１において上面）は開口され、この開口部を塞ぐようにして、扉体１３が配設されている。
【００１６】
扉体１３の一側辺は蝶番部１３ａによって本体部１２に対して開閉可能に支持されており、扉体１３の表面には、プレート部１４が形成され、このプレート部１４にはレバー部１５及びロック部１６が配設されている。そして、ロック部１６は、例えば、キー（図示せず）によって開錠又は閉錠され、ロック部１６が開錠された際、レバー部１５を操作すると、扉体１３を開くことができる。
【００１７】
なお、本体部１２及び扉体１３は耐火性部材で構成することが望ましい。また、ロック部１６は、キーによって開錠するものの他に、例えば、暗証番号を入力して開錠するものであってもよい。
【００１８】
図１に示すように、本体部１２の上端外周には径方向に延びるフランジ部１７が形成されており、図示の例では、このフランジ体１７は、本体部１２と同心に形成されている。そして、後述するようにして、このフランジ体１７を用いて本体部１２が据え付けられる。
図２も参照すると、フランジ体１７の一辺側（図２において上辺側）には切り欠き部１７ａが形成され、この切り欠き部１７ａには本体部１２の側面に沿って延びる収納部１８が形成されている。
【００１９】
そして、収納部１８には、後述するストッパー機構１９が収納されている。なお、図２に示すように収納部１８を、必ずしも設ける必要はなく、切り欠き部１７ａに対応してストッパー機構１９を設けるようにすればよい。
【００２０】
図３も参照すると、図２に示すように、扉体１３の表面には金具部材２０の一端部が溶接等によって固定されており、その他端部は、本体部１２の外縁よりも外方まで延び、収納部１８に達している。そして、金具部材２０の他端部にはピン状の支持部２０ａが形成されている。図３は、扉体１３を開いた状態を示す図であり、前述のストッパー機構（ストッパー部材）１９は、その一端が支持部２０ａに回動可能に保持され、他端部が本体部１２の側面に設けられた支持部２１に回動可能に保持されている。
【００２１】
図３に示すように、扉体１３を開くと、扉体１３の開動作に伴ってストッパー部材１９は徐々に延び、扉体１３が完全に開かれると（つまり、扉体１３が開位置になると）、ストッパー部材１９によって扉体１３が保持されて、レバー部１５を離しても扉体１３が閉方向に動作することがない。言い換えると、扉体１３が開位置に達すると、ストッパー部材１９によって扉体１３が開位置に保持され、扉体１３の閉方向への移動が阻止（ストップ）されることになる。
【００２２】
なお、ストッパー部材１９で保持された扉体１３を閉じる際には、手等でストッパー部材１９を押し込むようにすれば、ストッパー部材１９が解除されて、扉体１３を閉じることができる。
【００２３】
ここで、図４を参照して、上述した保管庫１１の設置について説明する。
【００２４】
保管庫１１は、例えば、住居の一階に設置される。一階の床面３１には、保管庫１１が挿入される開口が予め形成され、この開口に本体部１２の底面側から保管庫１１が挿入される。床面３１は、例えば、二重構造となっており（つまり、第１及び第２の床層（床部）３１ａ及び３１ｂを有している）、第１の床層３１ａに、保管庫１１のフランジ体１７を当接して、フランジ体１７をネジ等を用いて第１の床層３１ａに固定する。
【００２５】
第２の床層３１ｂは少なくともレバー部１５の上方への出っ張り量だけは、第１の床層３１ａから離れており、第２の床層３１ｂは、保管庫１１に対応した部分３１ｃが開閉可能となっている。つまり、前述の床面３１に形成された開口部は、第２の床層３１ｂで閉じられることになる。
【００２６】
保管庫１１に物品を収納又は保管庫１１から物品を取り出す際には、第２の床層３１ｂを開いた後、ロック部１６を開錠して、レバー部１５によって扉体１３を開ければよい。この際、扉体１３は蝶番１３ａ回りに回動して、開位置に達すると、ストッパー部材１９によって扉体１３が保持され、レバー部１５から手を離しても、扉体１３が閉まってしまうことはなく、容易に物品の収納又は取り出しを行うことができる。
【００２７】
このように、保管庫を床下に配置するようにすれば、部外者に保管庫が見えることがなく、耐盗性を容易に向上させることができ、さらに、床面スペースが保管庫によって減少してしまうこともない。
【００２８】
さらに、床下に配置して、扉体の表面を上方に向けても、扉体が開位置となると、ストッパー部材によって扉体が保持されるから、容易に物品の出し入れができることになる。
【００２９】
【考案の効果】
以上説明したように、本考案によれば、一面が開口され中空の本体部を、開口面側を上方に向けて床下に位置づけて、扉体が所定の開位置となると、開位置で扉体を保持するストッパー部材を有するようにしたので、保管庫が部外者に見えることがなく、耐盗性を容易に向上させることができ、しかも、床面スペースが保管庫によって減少してしまうことがないという効果があり、さらに、扉体が開位置となると、ストッパー部材によって扉体が保持され、容易に物品の出し入れができるこという効果がある。
【００３０】
本考案では、扉体の上側には床を構成する床部が配置され、床部の扉体に対応する部分が開閉可能であるようにしたから、保管庫自体を外部から見えなくすることができ、耐盗性をより向上させることができるという効果がある。
【００３１】
また、本考案では、本体部の開口面側に、本体部を床に取り付けるためのフランジ部を形成するようにしたから、保管庫の床下への取り付けを容易に行うことができるという効果がある。
【図面の簡単な説明】
【図１】本考案による保管庫の一例を斜め上方から示す斜視図である。
【図２】図１に示す保管庫を別の角度から示す斜視図である。
【図３】図１に示す保管庫を扉体を開いた状態で示す斜視図である。
【図４】図１に示す保管庫を床下に設置した状態で示す図である。
【符号の説明】
１１　保管庫
１２　本体部
１３　扉体
１５　レバー部
１６　ロック部
１７　フランジ体
１８　収納部
１９　ストッパー機構（ストッパー部材）
２０　金具部材
【図１】
0003097650.tif 000003
【図２】
0003097650.tif 000004
【図３】
0003097650.tif 000005
【図４】
0003097650.tif 000006